(57)【特許請求の範囲】
【請求項１】
アーマチュアとこのアーマチュアを駆動させるスプリングとが溶接により固定され、前記スプリングのトーション支点部は支点固定プレートにより挟まれて固定されている印字ヘッドにおいて、前記支点固定プレートの形状を前記アーマチュアの長手方向に対し平行以外かつ垂直以外の角度を付け配置することを特徴とする印字ヘッド。
【請求項２】
前記支点固定プレートの形状を前記アーマチュアの長手方向に対しＲ形状で配置することを特徴とする請求項１記載の印字ヘッド。
【請求項３】
ステンレスを材質とする支点固定プレートを備えることを特徴とする請求項１または２記載の印字ヘッド。
【請求項４】
珪素鋼またはパーメンダを材質とするアーマチュアを備えることを特徴とする請求項１，２または３記載の印字ヘッド。
【請求項５】
工具鋼またはステンレスを材質とするスプリングを備えることを特徴とする請求項１，２，３または４記載の印字ヘッド。
【請求項６】
ドットシリアルインパクトプリンタに使用することを特徴とする請求項１，２，３，４または５記載の印字ヘッド。
【発明の詳細な説明】
【０００１】
【発明の属する技術分野】
本発明は印字ヘッドに関し、特に高速印字及び高複写印字ができる印字ヘッドに関する。
【０００２】
【従来の技術】
従来の印字ヘッドの斜視図である図６及びこの斜視図の上方から見た平面図である図７を参照すると、従来の印字ヘッドは、スプリング２のトーション支点部３をアーマチュア１の長手方向に対して平行配置しても、トーション支点部３の応力集中点４に掛かる応力に十分耐えうる性能の印字ヘッドを搭載したドットインパクトプリンタを市場に供給することができた。
【０００３】
【発明が解決しようとする課題】
しかし現在は、市場の要求により高速印字及び高複写印字が求められる様になり、その市場要求に答えるべく高速印字及び高複写印字ができる印字ヘッドを開発するためにはスプリング２を強化する必要がある反面、スプリング２を強化したことによるトーション支点部３の応力集中点４の応力も大きくなり、その結果、スプリング２が疲労破壊したりスプリング２を固定する為に必要な荷重が過度に大きくなる等の問題があった。
【０００４】
本発明の目的は、スプリングの疲労破壊を防止することにより、高速印字及び高複写印字ができる印字ヘッドを提供することにある。
【０００５】
【課題を解決するための手段】
本発明の印字ヘッドは、アーマチュアとこのアーマチュアを駆動させるスプリングとが溶接により固定され、前記スプリングのトーション支点部は支点固定プレートにより挟まれて固定されている印字ヘッドにおいて、前記支点固定プレートの形状を前記アーマチュアの長手方向に対し平行以外かつ垂直以外の角度を付け配置することを特徴とする。
【０００６】
また、本発明の印字ヘッドは、前記支点固定プレートの形状を前記アーマチュアの長手方向に対しＲ形状で配置することを特徴とする。
【０００７】
【発明の実施の形態】
次に、本発明の実施の形態について図面を参照して詳細に説明する。
【０００８】
本発明の一実施の形態を斜視図で示す図１及びこの斜視図の上方から見た平面図である図２を参照すると、この実施の形態の印字ヘッドにおいて、印字ヘッド内に設けられるアーマチュア１とアーマチュア１を駆動させるスプリング２とが溶接により固定されている。スプリング２のトーション支点部３は支点固定プレート５により挟まれて固定されており、スプリング２が撓んだときにトーション支点部３と支点固定プレート５との交点で応力が集中する応力集中点４を有している。
【０００９】
印字ヘッドの断面図である図３を参照して印字ヘッドの動作について説明する。アーマチュア１は、永久磁石６の磁力によりヨーク７に吸引される。そのためアーマチュア１が溶接により固定されているスプリング２が撓んで保持される。このとき消磁コイル８に通電すると消磁コイル８に発生する磁束により永久磁石６の磁力は打ち消され、アーマチュア１はスプリング２の撓みエネルギーによりヨーク７を離れ、アーマチュア１に接合されたワイヤ９を駆動させ印字動作を行う。印字動作後は、消磁コイル８への通電を切断し再び永久磁石６の磁力によりアーマチュア１はヨーク７に吸引される。この一連の動作を連続的に動作させることにより所定の印字を得ることが出来る。
【００１０】
図１，図２において、印字ヘッド内に設けられるアーマチュア１とアーマチュア１を駆動させるスプリング２とが溶接により固定され、スプリング２のトーション支点部３は支点固定プレート５により挟まれて固定されており、スプリング２が撓んだときにトーション支点部３と支点固定プレート５との交点で応力が集中する応力集中点４が有る。支点固定プレート５の形状をアーマチュア１の長手方向に対し平行以外かつ垂直以外の角度を付け配置することによりスプリング２の強度向上と支点固定プレート５でスプリング２を挟んで固定する際の荷重を低荷重に出来る。
【００１１】
本発明の他の実施の形態の斜視図である図４及びこの斜視図の上方から見た平面図である図５を参照すると、この実施の形態の印字ヘッドにおいて、支点固定プレート５の形状をアーマチュアの長手方向に対して直線的な平行以外の角度を持たせるのではなく、Ｒ形状にしても同様の効果を得ることができる。
【００１２】
本発明の印字ヘッドにおけるアーマチュア１の材質は珪素鋼やパーメンダであり、スプリングの材質は工具鋼やステンレスを使用している。また支点固定プレートの材質はステンレスを使用している。
【００１３】
【発明の効果】
以上説明したように、本発明の第１の効果は、スプリング２のトーション支点部３を保持する支点固定プレート５をアーマチュア１の長手方向に対して平行以外かつ垂直以外の角度を持たせることにより、スプリング２のトーション支点部３のねじれによるトーション支点部３の応力は角度の分だけベクトル方向へ分散され応力集中点４に集中せず、トーション支点部３の疲労破壊を防止することが出来る、ということである。
【００１４】
第２の効果は、スプリング２のトーション支点部３のねじれによるトーション支点部３の応力が角度の分だけベクトル方向へ分散され応力集中点４に集中しない為、スプリング２のトーション支点部３を挟み込んで固定する支点固定プレート５の挟み込み荷重を低減させ、組立を容易にすることが出来る、ということである。
【図面の簡単な説明】
【図１】本発明の一実施の形態の構成を示す斜視図である。
【図２】図１の斜視図の上方から見た平面図である。
【図３】この実施の形態の印字ヘッドの断面図である。
【図４】本発明の他の実施の形態の構成を示す斜視図である。
【図５】図４の斜視図の上方から見た平面図である。
【図６】従来例の構成を示す斜視図である。
【図７】図６の斜視図の上方から見た平面図である。
【符号の説明】
１    アーマチュア
２    スプリング
３    トーション支点部
４    応力集中点
５    支点固定プレート
６    永久磁石
７    ヨーク
８    消磁コイル
９    ワイヤ
【図１】
0003607621.tif 000002
【図２】
0003607621.tif 000003
【図３】
0003607621.tif 000004
【図４】
0003607621.tif 000005
【図５】
0003607621.tif 000006
【図６】
0003607621.tif 000007
【図７】
0003607621.tif 000008